(57)【要約】【課題】洗濯機のヒーター装置を提供する。【解決手段】洗濯機のヒーター装置は、タブと、タブに形成されるヒーター結合部と、ヒーター結合部に配置されるヒーターと、ヒーター結合部を加圧して、ヒーターの配置によりヒーター結合部に加えられる圧力を相殺させることができるヒーター結合部材と、を含む。【選択図】図３
2008541923.tif 000002
【特許請求の範囲】
【請求項１】
タブと、
前記タブに形成されるヒーター結合部と、
前記ヒーター結合部に配置されるヒーターと、
前記ヒーター結合部を加圧して、前記ヒーターの配置により前記ヒーター結合部に加えられる圧力を相殺させることができるヒーター結合部材と、を含む洗濯機のヒーター装置。
【請求項２】
前記ヒーター結合部材は、前記タブとの結合力により、前記ヒーター結合部を加圧することを特徴とする請求項１に記載の洗濯機のヒーター装置。
【請求項３】
前記ヒーター結合部材は、前記ヒーター結合部の両側で前記タブと結合されて、前記ヒーター結合部を加圧することを特徴とする請求項１に記載の洗濯機のヒーター装置。
【請求項４】
前記ヒーター結合部材は、前記ヒーター結合部を少なくとも２つの方向に加圧することを特徴とする請求項１に記載の洗濯機のヒーター装置。
【請求項５】
前記ヒーター結合部材は、前記タブの外側で前記ヒーター結合部を加圧することを特徴とする請求項１に記載の洗濯機のヒーター装置。
【請求項６】
前記ヒーター結合部材は、前記タブの底部のうち、前記ヒーター結合部が形成された部分を加圧することを特徴とする請求項１に記載の洗濯機のヒーター装置。
【請求項７】
前記ヒーター結合部材は、前記ヒーターの両側で前記タブと結合されることを特徴とする請求項１に記載の洗濯機のヒーター装置。
【請求項８】
前記ヒーター結合部材は、前記ヒーターが前記ヒーター結合部に固定されるように前記ヒーターを加圧することを特徴とする請求項１に記載の洗濯機のヒーター装置。
【請求項９】
前記ヒーター結合部材の少なくとも一方の側は、前記タブの所定部分に掛かることを特徴とする請求項１に記載の洗濯機のヒーター装置。
【請求項１０】
タブと、
前記タブに形成されるヒーター結合部と、
前記ヒーター結合部に配置されるヒーターと、
前記ヒーターを加圧するヒーター加圧部と、前記ヒーター結合部を加圧するヒーター結合部加圧部とを含むヒーター結合部材と、を含む洗濯機のヒーター装置。
【請求項１１】
前記ヒーター結合部加圧部は、前記ヒーター加圧部の両側に形成されることを特徴とする請求項１０に記載の洗濯機のヒーター装置。
【請求項１２】
前記ヒーター結合部加圧部と前記タブの結合力により、前記ヒーター加圧部と、前記ヒーター結合部加圧部が、それぞれ前記ヒーターと、前記ヒーター結合部を加圧することを特徴とする請求項１０に記載の洗濯機のヒーター装置。
【請求項１３】
前記ヒーター加圧部と、前記ヒーター結合部加圧部とは、互いに連結されることを特徴とする請求項１０に記載の洗濯機のヒーター装置。
【請求項１４】
タブと、
前記タブに形成されるヒーター結合部と、
前記ヒーター結合部に配置されるヒーターと、
互いに所定間隔に離隔される位置で前記ヒーター結合部と結合される少なくとも２つの結合部を含むヒーター結合部材と、を含む洗濯機のヒーター装置。
【請求項１５】
前記ヒーター結合部材は、前記ヒーター結合部と、前記ヒーターのうちの少なくとも１つを加圧することを特徴とする請求項１４に記載の洗濯機のヒーター装置。
【請求項１６】
前記少なくとも２つの結合部は、前記ヒーターの一方の側で前記ヒーター結合部と結合される第１結合部と、前記ヒーターの他方の側で前記ヒーター結合部と結合される第２結合部と、を含むことを特徴とする請求項１４に記載の洗濯機のヒーター装置。
【請求項１７】
前記少なくとも２つの結合部のうち、少なくとも１つの結合部は、前記タブの所定部分に掛かることを特徴とする請求項１４に記載の洗濯機のヒーター装置。
【請求項１８】
前記タブに掛かる結合部の一方の側には、別途の結合部材により前記タブと結合される少なくとも１つの結合部がさらに形成されることを特徴とする請求項１７に記載の洗濯機のヒーター装置。
【請求項１９】
前記タブには、前記掛かり部が掛かる掛かりリブが形成されることを特徴とする請求項１７に記載の洗濯機のヒーター装置。
【請求項２０】
前記少なくとも２つの結合部のうち、少なくとも１つの結合部は、別途の結合部材により前記タブの所定部分に結合されることを特徴とする請求項１４に記載の洗濯機のヒーター装置。
【発明の詳細な説明】
【技術分野】
【０００１】
本発明は、洗濯機のヒーター装置に関する。
【背景技術】
【０００２】
一般に、洗濯機は、外形をなすキャビネットの内部空間にタブが設置される。タブは、キャビネットの上側部に連結したダンパーによって支持され、内部に洗濯水が貯蔵される。そして、タブの内部には、洗濯槽が回転可能に設置される。詳細に説明すると、洗濯槽の底面及び側面には、複数の通孔が形成されているから、タブに貯蔵された洗濯水が洗濯槽とタブとの間で自由に流動しつつ、洗濯物についた汚物が除去される。
【０００３】
一方、タブの底面には、洗濯水を加熱して温水にするヒーターが設置される。したがって、冬季に冷水がタブの内部に流入しても、ヒーターが作動するようになれば、洗濯に適正な温度に加熱されるので、別に温水が排出される水道蛇口と連結する必要がなくなる。
【０００４】
前記のような機能を果たすヒーターが装着されたタブに関する従来の技術内容は、本発明の出願人によって出願公開された韓国公開特許公報１０−２００３−００５５９７３などに詳細に記載されている。
【０００５】
しかしながら、一般に、タブは、ヒーター及びボルトに比べてその強度が低いプラスチック射出物である。したがって、タブの内部に上記のように発生した応力が加えられ続けることによって、ヒーターの結合されたタブ部分にクラック（ｃｒａｃｋ）が発生するようになる。そうすると、クラックを介して洗濯水の漏水が発生するようになる等、洗濯機の製品信頼度が大きく低下する等の短所が発生する。
【発明の開示】
【発明が解決しようとする課題】
【０００６】
本発明は、上述の問題点に鑑みてなされたもので、その目的は、タブにヒーターを結合させる結合構造を改善して、タブでのクラックの発生を防止することができる洗濯機のヒーター装置を提供することにある。
【課題を解決するための手段】
【０００７】
上記の目的を達成すべく、本発明による洗濯機のヒーター装置は、タブと、タブに形成されるヒーター結合部と、ヒーター結合部に配置されるヒーターと、ヒーター結合部を加圧して、ヒーターの配置によりヒーター結合部に加えられる圧力を相殺させることができるヒーター結合部材と、を含む。
【０００８】
また、本発明の他の側面による洗濯機のヒーター装置は、タブと、タブに形成されるヒーター結合部と、ヒーター結合部に配置されるヒーターと、ヒーターを加圧するヒーター加圧部と、ヒーター結合部を加圧するヒーター結合部加圧部とを含むヒーター結合部材と、を含む。
【０００９】
また、本発明のさらに他の側面によるヒーター装置は、タブと、タブに形成されるヒーター結合部と、ヒーター結合部に配置されるヒーターと、互いに所定間隔に離隔される位置でヒーター結合部と結合される少なくとも２つの結合部を含むヒーター結合部材と、を含む。
【発明の効果】
【００１０】
本発明による洗濯機のヒーター装置によれば、ヒーター結合部材がタブに結合されることによって、タブのヒーター結合部にクラックが発生するという現象が防止され得るという効果がある。
【００１１】
また、ヒーター装置によれば、ヒーター結合部材がヒーターを加圧することができるから、ヒーターの整列状態が改善され、ヒーターの離脱が防止され得るという効果がある。
【発明を実施するための最良の形態】
【００１２】
以下では、本発明の具体的な実施の形態を、図面を参照して詳細に説明する。しかしながら、本発明の思想は、提示される実施の形態に制限されず、他の構成要素の追加、変更、削除等によって、退歩的な他の発明または本発明の思想の範囲内に含まれる他の実施の形態を容易に提案することができる。
【００１３】
図１は、本発明の思想によるヒーターが装着されたタブの底面を示す平面図であり、図２は、図１に示すヒーターが装着されたタブの背面斜視図である。
【００１４】
図１及び図２に示すように、本発明による洗濯機のタブ１９０は、所定の直径と高さを有する円筒形状である。
【００１５】
詳細に説明すると、タブ１９０は、側面にダンパーの一方の側終端が結合されるためのダンパー挿入溝１１０が形成される。そして、中央部には、洗濯軸１５０が貫通するための貫通溝が形成される。そして、タブ１９０の底面の一方の側には、ヒーター２００を固着させるために所定の深さと形状に陥没されるヒーター固着溝１２０が含まれる。
【００１６】
また、ヒーター固着溝１２０の底面には、洗濯水が排水されるための排水口１４０と、ヒーター固着溝１２０のエッジに所定高さに突出形成される少なくとも一つのヒーターカバー締結ボス１３０が含まれる。
【００１７】
また、ヒーター固着溝１２０の一方の側には、ヒーター２００の過熱有無を感知するサーモスタット（ｔｈｅｒｍｏｓｔａｔ）１２２が装着され、サーモスタット１２２の上側部には、ヒーターを固定するクランプ１２１が装着される。
【００１８】
また、タブ１９０の底面には、ヒーター２００が挿入されるためのヒーター挿入ホール１９１が形成される。詳細に説明すると、ヒーター挿入ホール１９１は、タブ１９０の底面において所定の深さに内入されて形成されるが、これは、ヒーター２００の端子部に湿気または洗濯水が浸透されることを防止するためである。
【００１９】
また、ヒーター固着溝１２０に収容されるヒーター２００は、所定の直径と長さで形成され、所定位置で多数回折り曲げられるヒーターパイプ２０１と、ヒーターパイプの両終端に形成されて、ヒーターパイプ２０１と電気的に連結されて電源を印加する電源接続部２０３と、が含まれる。
【００２０】
また、ヒーター２００は、電源接続部２０３を介してシーリング部材２０５が挿入される。そして、シーリング部材２０５が挿入されるに先立ち、シーリング部材２０５を加圧する押さえ板２０６がまず挿入される。そして、シーリング部材２０５の後側には、シーリング部材２０５が固着するように所定の深さに陥没され、ヒーター挿入ホール１９１から洗濯水が漏れるのを防止するためのシーリングケース２０２が挿入される。ここで、シーリングケース２０２は、後述する締め部材によってタブ１９０の外壁に強く密着される。
【００２１】
一方、押さえ板２０６とシーリングケース２０２とは、押さえ板２０６の中央部を貫通するアセンブリー結合部材２０４によって強く締められる。ここで、シーリング部材２０５は、所定の弾性力と柔軟性を有する素材が用いられ、好ましくは、ゴム材質が使用されることができる。
【００２２】
さらに詳細に説明すると、シーリング部材２０５は、形状がヒーター挿入ホール１９１と同一であるか、または少し小さく形成されて、ヒーター挿入ホール１９１の内部に容易に挿入される。しかしながら、シーリング部材２０５の厚さは、タブ１９０の厚さより厚く形成される。
【００２３】
ここで、アセンブリー結合部材２０４によって、シーリング部材２０５が圧縮力を受ければ、シーリング部材２０５の上側部は、図示のように、タブ１９０の内周面に広がるようになる。そして、シーリング部材２０５の面積がヒーター挿入ホール１９１の面積より広く広がるようになる。したがって、シーリング部材２０５が圧縮力によって横に広がりつつ、ヒーター挿入ホール１９１を完全に密閉するようになり、洗濯水がヒーター挿入ホール１９１に漏れる現象が除去される。
【００２４】
一方、ヒーター２００のヒーターパイプ２０１は、上述のように、所定の直径と長さを有する導電体であって、多数回折り曲げられて形成される。ここで、ヒーターパイプ２０１の長さと折り曲げ回数などは、要求されるヒーターパイプ２０１の長さに応じて適正な回数に折り曲げられることができる。
【００２５】
図３は、本発明の思想による洗濯機のヒーター装置を示す分解斜視図である。
【００２６】
図３に示すように、本発明による洗濯機タブ１９０のヒーター２００結合構造は、タブ１９０の内部の洗濯水を加熱することができるヒーター２００と、ヒーター２００が挿入されるタブ１９０と、タブ１９０にヒーター２００を固定させるヒーター結合部材３００と、を備える。
【００２７】
ヒーター２００は、洗濯水と直接接して洗濯水を加熱させるヒーターパイプ２０１と、ヒーターパイプ２０１の末端部に形成されるシーリングケース２０２と、ヒーター２００とタブ１９０との間をシーリングさせるシーリング部材２０５と、を備える。ヒーターパイプ２０１の末端部には、所定電源と接続する電源接続部２０３が形成される。ヒーター２００は、別途のボルトなどのアセンブリー部材２０４により、シーリングケース２０２と、ヒーターパイプ２０１と、シーリング部材２０５とが結合された単一物品になり得る。
【００２８】
一方、本発明によれば、ヒーター結合部材３００の一部がタブ１９０の所定部位に掛かることによって、タブ１９０に結合される方式で、タブ１９０に対してヒーター２００を固定させる。上記のように、ヒーター２００がタブ１９０にボルトなどを用いて直接結合されることではなく、ヒーター結合部材３００により間接的に結合されることによって、タブ１９０においてヒーター２００の結合により発生され得るクラックが防止されることができる。
【００２９】
図４は、本発明の思想によるヒーター装置に用いられるタブの一部を示す斜視図である。
【００３０】
図４に示すように、本発明によるタブ１９０には、ヒーター２００のシーリングケース２０２と対面する対面部１９８と、対面部１９８に形成されてヒーター２００が挿入されるヒーター挿入ホール１９４が形成される。そして、タブ１９０には、ヒーター挿入ホール１９４の上側に形成される掛かりリブ１９５と、ヒーター結合部材３００の固定のためのボルトなどの結合部材が挿入される第１結合部材挿入ホール１９７及び第２結合部材挿入ホール１９６が形成される。
【００３１】
ここで、ヒーター挿入ホール１９４、掛かりリブ１９５、対面部１９８などは、ヒーター２００が結合されるための部分を示す一実施の形態である。このような実施の形態の他にも、ヒーター２００が結合されるための部分の多様な実施の形態が提示されることができ、そういう部分は、ヒーター結合部と定義され得る。
【００３２】
掛かりリブ１９５は、ヒーター挿入ホール１９４の上側に所定高さに突出した部分であって、ここにヒーター結合部材３００のフック（図５の３５０）が掛かる。掛かりリブ１９５が形成されるタブ１９０の部分は、クラックの発生可能性が高い部分である。本発明では、前記部分に掛かりリブ１９５を用いた掛かり方式でヒーター２００が結合されるので、タブ１９０部分のクラックの発生可能性が低下し得る。
【００３３】
図５は、本発明の思想によるヒーター装置に用いられるヒーター結合部材を示す前面斜視図であり、図６は、図５に示すヒーター結合部材の背面斜視図であり、図７は、図５に示すヒーター結合部材の側面図である。
【００３４】
図５〜図７に示すように、本発明によるヒーター結合部材３００には、底面部３２０と、ヒーター加圧部３１０と、傾斜面３３０と、リブ接面部３４０と、フック３５０が形成される。底面部３２０と、フック３５０は、ヒーター加圧部３１０に対応し、ヒーター結合部加圧部と定義され得る。
【００３５】
底面部３２０は、タブ１９０に結合される部分である。前記のような結合は、ボルトなどの別途の結合部材によりなされることができるが、このために、底面部３２０には、第２結合部材挿入ホール３２１が形成され得る。結合の信頼度を増大させるために、第２結合部材挿入ホールは、複数形成されることが好ましい。
【００３６】
ヒーター加圧部３１０は、ヒーター２００をその背面部から加圧して、ヒーター２００がタブ１９０に間接的に固定され得るようにする部分である。本実施の形態では、ヒーター加圧部３１０がヒーター２００のシーリングケース２０２を加圧する構造で形成される。そして、ヒーター加圧部３１０のほぼ中央には、ヒーター２００のアセンブリー結合部材２０４が挿入される中央ホール３１１が形成される。
【００３７】
リブ接面部３４０は、その底面がタブ１９０の掛かりリブ１９５と接する部分である。
【００３８】
フック３５０は、リブ接面部３４０で折り曲げ形成された部分であって、掛かりリブ１９５に掛かって、リブ接面部３４０とともに掛かりリブ１９５と面接触する。上記のように形成されることによって、ヒーター結合部材３００とタブ１９０とが直接結合され、それによってヒーター２００とタブ１９０とが間接的に結合され得る。したがって、ヒーター２００の直接締結によるタブ１９０のクラックが防止され得る。
【００３９】
一方、ヒーター結合部材３００には、フック３５０の結合を補助して、その結合の信頼度を高めるための補助結合部３６０がさらに形成されることができる。本実施の形態では、補助結合部３６０がリブ接面部３４０から所定長さに突出して形成され、その内部面に第１結合部材挿入ホール３６１が形成される。第１結合部材挿入ホール３６１には、ボルトなどの別途の結合部材が締結され得る。
【００４０】
図８は、本発明の思想によるヒーター装置の結合斜視図であり、図９は、図８に示すヒーター装置の垂直断面図である。
【００４１】
図８及び図９に示すように、本発明によるヒーター２００結合構造は、タブ１９０にヒーター２００を結合させるための別途のヒーター結合部材３００を備える。ヒーター結合部材３００及びそれに対応するタブ１９０の部分については既に説明したので、ここでは、それと重複する説明は省略し、上述の説明で置き換えることにする。
【００４２】
図８及び図９示すように、本発明では、ヒーター２００がタブ１９０のヒーター挿入ホール１９４に挿入された後、ヒーター結合部材３００がヒーター２００を加圧して密着させる。そして、ヒーター結合部材３００の上部に形成されたフック３５０がタブ１９０に形成された掛かりリブ１９５に掛かり、その底面部３２０に形成された第２結合部材挿入ホール３２１にボルトなどの結合部材が締結されることによって、ヒーター結合部材３００がタブ１９０に締結固定される。すると、ヒーター結合部材３００がヒーター２００を加圧して、ヒーター２００がタブ１９０に対して固定されるようにする。
【００４３】
他の側面から、本発明では、ヒーター結合部材３００がタブ１９０に結合されることによって、タブ１９０との結合力によりヒーター結合部材３００がヒーター結合部を加圧する。すると、ヒーター３００がヒーター結合部に設置されることによって、ヒーター３００の設置によりヒーター結合部に加えられる圧力がヒーター結合部材３００により加えられる圧力により相殺され得る。したがって、ヒーター３００の設置によって、タブ１９０のヒーター結合部にクラックが発生する現象が防止され得る。
【００４４】
ヒーター結合部材３００は、ヒーター結合部とともに、または独立してヒーター２００を加圧することができる。すると、ヒーター２００の配置状態が改善され、ヒーター２００の離脱が防止され得る。
【００４５】
一方、ヒーター結合部材３００は、ヒーター２００を隔てて両側面で結合される。詳細に説明すると、ヒーター結合部材３００の一方の側には、フック３５０が形成されて、ヒーター２００の一方の側でタブ１９０の掛かりリブ１９５に掛かる。そして、ヒーター結合部材３００の他方の側には底面部３２０が形成されて、ヒーター２００の他方の側でタブ１９０に結合される。そうすると、ヒーター結合部材３００は、ヒーター２００を隔てて両側面で結合されることで、ヒーター２００を加圧してヒーター２００を配置し、ヒーター２００の離脱を防止させる。そして、ヒーター２００が設置されるヒーター結合部を加圧するようになって、タブ１９０にクラックが発生しないようにする。
【００４６】
上記のように構成される本発明によるヒーター装置によれば、ヒーターの結合により、タブから発生していたクラックが防止されて、洗濯機の耐久性及び製品の信頼性が改善されるので、その産業上利用可能性が高い。
【図面の簡単な説明】
【００４７】
【図１】本発明の思想によるヒーターが装着されたタブの底面を示す平面図である。
【図２】図１に示すヒーターが装着されたタブの背面斜視図である。
【図３】本発明の思想による洗濯機のヒーター装置を示す分解斜視図である。
【図４】本発明の思想によるヒーター装置に用いられるタブの一部を示す斜視図である。
【図５】本発明の思想によるヒーター装置に用いられるヒーター結合部材を示す前面斜視図である。
【図６】図５に示すヒーター結合部材の背面斜視図である。
【図７】図５に示すヒーター結合部材の側面図である。
【図８】本発明の思想によるヒーター装置の結合斜視図である。
【図９】図８に示すヒーター装置の垂直断面図である。
【図１】
2008541923.tif 000003
【図２】
2008541923.tif 000004
【図３】
2008541923.tif 000005
【図４】
2008541923.tif 000006
【図５】
2008541923.tif 000007
【図６】
2008541923.tif 000008
【図７】
2008541923.tif 000009
【図８】
2008541923.tif 000010
【図９】
2008541923.tif 000011
【国際調査報告】
2008541923.tif 000012
2008541923.tif 000013
2008541923.tif 000014
2008541923.tif 000015